(57)【要約】【課題】情報端末を備え買い物客に種々の情報を提供できるとともに、ショッピングストア側の運用コストを低減できるショッピングカートを提供する。【解決手段】ショッピングカート１０のグリップ近傍には、情報端末１２が取り付けられている。また、ショッピングカート１０の下段かご搭載部の奥側には例えばダイレクトメタノール型燃料電池１３が配置されている。情報端末１２には、燃料電池１３からケーブル１４を介して電力が供給される。燃料電池１３を構成する燃料電池セル集合体と筐体との間にはシリコンゴム等からなる緩衝材が配置されており、燃料電池セル集合体と筐体との間に空気が流通する空間を形成している。また、緩衝材により、外部から加えられる衝撃や振動から燃料電池セル集合体を保護している。【選択図】図１
2006232054.tif 000002
【特許請求の範囲】
【請求項１】
ショッピングカート本体と、
情報を表示する表示部を備え前記ショッピングカート本体に搭載された情報端末と、
燃料物質の化学エネルギーを直接電気エネルギーに変換して前記情報端末に電力を供給する燃料電池と
を有することを特徴とするショッピングカート。
【請求項２】
前記燃料電池が、複数の燃料電池セルにより構成される燃料電池セル集合体と、前記燃料電池セル集合体を収納する筐体と、前記燃料電池セル集合体と前記筐体との間に介在し、前記燃料電池セル集合体と前記筐体との間に空気が入る空間を形成する部材とを有することを特徴とする請求項１に記載のショッピングカート。
【請求項３】
前記燃料電池セル集合体と前記筐体との間に空気が入る空間を形成する部材が、衝撃吸収性を有することを特徴とする請求項２に記載のショッピングカート。
【請求項４】
ショッピングカートに搭載された情報端末とショッピングストアのサーバとの間で通信して前記ショッピングカートを利用する買い物客に情報を提供するショッピングカートシステムにおいて、
前記ショッピングカートは、燃料物質の化学エネルギーを直接電気エネルギーに変換して前記情報端末に電力を供給する燃料電池と、前記サーバとの間で無線により通信を行う通信部とを有することを特徴とするショッピングカートシステム。
【請求項５】
前記燃料電池が、複数の燃料電池セルにより構成される燃料電池セル集合体と、前記燃料電池セル集合体を収納する筐体と、前記燃料電池セル集合体と前記筐体との間に介在し、前記燃料電池セル集合体と前記筐体との間に空気が入る空間を形成する部材とを有することを特徴とする請求項４に記載のショッピングカートシステム。
【発明の詳細な説明】
【技術分野】
【０００１】
本発明は、情報端末を備えたショッピングカート、及びそのショッピングカートを用いて種々の情報を買い物客に提供するショッピングカートシステムに関する。
【背景技術】
【０００２】
スーパーマーケットやホームセンタ等の大型ショッピングストアでは、大量の商品や大型の商品を購入する買い物客のためにショッピングカートを備えて、買い物客の利便を図っている。また、近年、ショッピングカートに情報端末を取り付け、買い物客に種々の情報を提供することが提案されている。
【０００３】
例えば、特開２００１−３３４９４０号公報には、ショッピングカートに取り付けられた情報端末（表示部）に、商品情報、店頭案内、お買い得品及び迷子のお知らせ等の情報を表示することが記載されている。また、特開平８−４０２７６号公報には、ショッピングカートに搭載された情報端末（ディスプレイ装置）に各種宣伝や店内の地図（案内図）等を表示することが記載されている。更に、特開２００３−２５６５２０号公報には、ショッピングカートに搭載された情報端末（クライアント）によりカート内に投入された商品の合計金額を表示することが記載されている。
【０００４】
ところで、ショッピングカートに搭載された情報端末を駆動するためには、電源が必要である。前述の特開２００１−３３４９４０号公報には、情報端末を駆動する電源として、二次電池を使用することが記載されている。また、特開平８−４０２７６号公報に記載されたショッピングカートでも、バッテリーを充電するという記載があることから、二次電池を使用していることがわかる。更に、特開２００３−２５６５２０号公報に記載されたショッピングカートにおいても、発電機と充電池（二次電池）とを備えていることが記載されている。
【特許文献１】特開２００１−３３４９４０号公報
【特許文献２】特開平８−４０２７６号公報
【特許文献３】特開２００３−２５６５２０号公報
【発明の開示】
【発明が解決しようとする課題】
【０００５】
しかしながら、本願発明者等は、情報端末を備えたショッピングカート（以下、単に「ショッピングカート」という）で二次電池を使用する場合に、以下に示す問題点があると考える。
【０００６】
すなわち、二次電池を使用する場合、ショッピングカートを連続して使用できる最大時間は、情報端末の消費電力と、二次電池の蓄電エネルギーとで決まる時間以下となる。情報端末の消費電力をＰ（Ｗ）、二次電池の電圧をＶ（ボルト）、二次電池の蓄電容量をＣ（Ａｈ）とすると、ショッピングカートを連続運用可能な最大時間Ｔ（ｈ）は、Ｔ＝Ｖ・Ｃ／Ｐとなる。
【０００７】
一般的に、二次電池の電圧Ｖは６〜１２ボルト程度であり、蓄電容量Ｃは２〜１０Ａｈ程度であり、情報端末の消費電力Ｐは５〜２０Ｗであるから、ショッピングカートの連続運用可能な最大時間Ｔは０．６〜２４時間程度である。従って、ショッピングストアの従業員は頻繁に二次電池を充電する必要があり、煩雑である。また、ショッピングカートの数に応じて数１０〜数１００個の二次電池を一度に充電する必要があるので、充電設備や設置空間（充電場所）及び充電作業に必要な人員の確保など、多大なコストが必要になる。
【０００８】
充電作業を軽減するために、電池容量が大きい電池を使用して１回の充電で運用可能な時間を長くすることが考えられる。しかし、そうすると電池が大きく且つ重くなって、買い物客がショッピングカートを利用しにくくなってしまう。
【０００９】
現在、携帯電話やノート型コンピュータ等の携帯型情報機器には、鉛蓄電池、ニッケル水素電池及びリチウムイオン電池等の二次電池が使用されている。これらの電池のうちで特にリチウムイオン電池は、実用化当初から出力電圧が高く、且つ電池容量が大きいという利点を有しており、情報機器の進歩に合わせてより一層の性能向上が図られてきた。従って、ショッピングカートの電源としてリチウムイオン電池を利用することが考えられる。しかし、リチウムイオン電池においても、他の二次電池と同様に充電作業が必要であるので、上記の問題点を解消することはできない。
【００１０】
以上から、本発明の目的は、情報端末を備え買い物客に種々の情報を提供できるとともに、ショッピングストア側の運用コストを低減できるショッピングカートを提供することである。
【００１１】
また、本発明の他の目的は、ショッピングストア側の運用コストを低減できるショッピングカートを使用し、買い物客に種々の情報を提供するショッピングカートシステムを提供することである。
【課題を解決するための手段】
【００１２】
上記した課題は、ショッピングカート本体と、情報を表示する表示部を備え前記ショッピングカート本体に搭載された情報端末と、燃料物質の化学エネルギーを直接電気エネルギーに変換して前記情報端末に電力を供給する燃料電池とを有することを特徴とするショッピングカートにより解決する。
【００１３】
本発明においては、ショッピングカートに搭載された情報端末の電源として、燃料電池を使用する。燃料電池は理論エネルギー密度が極めて高く、燃料を補給するだけて長時間の連続発電が可能である。また、燃料の補給も、二次電池の充電作業に比べて短時間ですみ、充電施設や設置空間を確保する必要がなく、二次電池を使用する場合に比べてショッピングカートの運用コストが極めて低い。
【００１４】
ところで、燃料電池は、電気を生成する際に熱が発生する。このため、燃料セル集合体と筐体との間に空気が入る部材を設けて、筐体が高温になることを防止することが好ましい。この場合に、燃料電池セル集合体と筐体との間に介在させる部材としてシリコンゴム等の衝撃吸収性を有する部材を配置することにより、ショッピングカートの使用に伴う燃料電池セル集合体への衝撃を緩衝することができる。
【００１５】
上記した課題は、ショッピングカートに搭載された情報端末とショッピングストアのサーバとの間で通信して前記ショッピングカートを利用する買い物客に情報を提供するショッピングカートシステムにおいて、前記ショッピングカートは、燃料物質の化学エネルギーを直接電気エネルギーに変換して前記情報端末に電力を供給する燃料電池と、前記サーバとの間で無線により通信を行う通信部とを有することを特徴とするショッピングカートシステムにより解決する。
【００１６】
本発明においては、ショッピングカートに搭載された情報端末の電源として燃料電池を使用するので、燃料を補給するだけでショッピングカートを長時間にわたって使用することができる。また、燃料の補給も、二次電池の充電作業に比べて短時間ですみ、充電施設や設置空間を確保する必要がなく、二次電池を使用する場合に比べてショッピングカートの運用コストが極めて低い。
【００１７】
更に、ショッピングカートには無線サーバと通信する通信部を備えているので、適宜買い物客にタイムリーな情報を提供することができる。
【発明を実施するための最良の形態】
【００１８】
以下、本発明の実施形態について、添付の図面を参照して説明する。
【００１９】
Ａ．ショッピングカート
図１は、本発明の実施形態に係るショッピングカートを示す模式図である。このショッピングカート１０は、上段かご搭載部、下段かご搭載部、グリップ及びキャスタ等により構成されたカート本体１１と、このカート本体１１のグリップ近傍に取り付けられた情報端末１２と、カート本体１１の下段かご搭載部の奥側に設置された燃料電池１３とにより構成されている。情報端末１２と燃料電池１３とはケーブル１４により接続されており、情報端末１２にはこのケーブル１４を介して燃料電池１３から駆動用電力が供給される。
【００２０】
なお、燃料電池１３の取付け位置は下段かご搭載部の奥側に限定されるものではないが、通常ショッピングカート１０は図２に示すように重ねて収納されるので、燃料電池１３はショッピングカート１０を重ねたときに邪魔にならない位置に取り付けることが必要である。
【００２１】
図３は、情報端末１２の構成を示すブロック図である。この図３に示すように、情報端末１２は、マイクロコンピュータ２１と、タッチパネル付き液晶パネル２２と、通信部２３と、位置検出部２４と、商品コード読み取り部２５と、ＲＡＭ（Random-Access Memory）２６及びＲＯＭ（Read-Only Memory）２７とにより構成されている。
【００２２】
ＲＯＭ２７には、情報端末１２の動作に必要なプログラムやデータが予め記憶されている。マイクロコンピュータ２１は、ＲＯＭ２７に記憶されているプログラムに従って種々の処理を実行する。液晶パネル２２は、マイクロコンピュータ２１からの信号に応じて画面上に文字や画像を表示する。前述したように、液晶パネル２２の前面にはタッチパネルが設けられており、例えば画面上に表示されたボタンに買い物客が指を触れると、指の接触位置に応じた信号がタッチパネルからマイクロコンピュータ２１に出力される。
【００２３】
通信部２３はショッピングストアのサーバ（以下、単に「サーバ」という）との間で通信を行うために設けられている。本実施形態では、通信部２３とサーバとは無線ＬＡＮ（Local Area Network）により接続されるものとする。
【００２４】
位置検出部２４は、ショッピングカート１０の現在位置を検出するために設けられている。本実施形態においては、ショッピングストア内の各所に到達距離が短い微弱な電波を発信する発信器が設置されているものとする。発信器から発信される電波には各発信器に固有の識別コードが付加されており、マイクロコンピュータ２１は位置検出部２４で受信した信号から識別コードを抽出して発信器を特定することにより、ショッピングカート１０の現在位置を検出するものとする。なお、上述したように電波を使用して位置を検出する方法以外にも、赤外線、超音波又は電磁結合を利用して位置を検出する方法があり、使用状況に応じて最適な方法を採用すればよい。
【００２５】
商品コード読み取り部２５は、各商品に付けられたバーコード又はＩＣタグ（ＲＦＩＤ：Radio Frequency Identification）から商品コードを読み取るために設けられている。本実施形態では、各商品に商品コード及びその他の情報（メーカー名又は産地などの情報）が記憶されたＩＣタグが取り付けられており、商品コード読み取り部２５はＩＣタグからこれらの情報を読み取るものとする。
【００２６】
ＲＡＭ２６には、通信部２３を介してサーバから送られてくる種々のデータや、マイクロコンピュータ２１の処理に伴う種々のデータが一時的に記憶される。
【００２７】
図４は燃料電池１３を示す模式図である。本実施形態の燃料電池１３は、複数の燃料電池セルを集合してなる燃料電池セル集合体３１と、燃料電池セル集合体３１を収納する筐体３０と、燃料電池セル集合体３１と筐体３０との間に介在する緩衝材３２と、昇圧回路３３と、燃料が充填された燃料カセット３４ａを着脱自在に収納する燃料カセット収納部３４と、燃料カセット収納部３４に収納された燃料カセット３４ａから燃料電池セル集合体３１へ燃料を供給する燃料供給部３５とにより構成されている。
【００２８】
燃料電池では燃料電池セルで発電するときに熱が発生し、燃料電池セル集合体の温度が高くなることがあるが、本実施形態の燃料電池では図４に示すように燃料電池セル集合体３１と筐体３０との間に空気が通る空間を設けて、筐体３０の外側の温度が過度に高くなることを防止している。また、燃料電池セル集合体３１と筐体３０との間に介在する緩衝材３２は例えばシリコンゴム又はその他の弾性材料からなり、外部から加えられる衝撃や振動から燃料電池セル集合体３１を保護している。
【００２９】
本実施形態では、上述の如く、情報端末１２の電源として燃料電池を使用している。燃料電池は、負極に燃料を供給することで電子とプロトン（Ｈ+ ）とを生成し、そのプロトンを正極に供給された酸素と反応させることで発電する装置である。燃料電池の最大の特徴は、燃料を補給することで長時間の連続発電が可能なことである。また、燃料電池の理論エネルギー密度は極めて高く、例えばメタノールを燃料とする燃料電池の場合、理論エネルギー密度は活物質換算でリチウムイオン電池の約１０倍となる。従って、リチウムイオン電池等の二次電池に比べて、小型軽量化が容易に達成される。
【００３０】
燃料電池では、充電作業が不要である替わりに、燃料を補充する作業が必要となる。しかし、燃料の補充は充電作業に比べて極めて短時間で完了する。従って、二次電池を使用するときに必要であった充電設備や設置空間が不要となり、ショッピングストアにおけるショッピングカートの運用コストを著しく削減することができる。
【００３１】
図５は、燃料電池セル集合体３１を構成する燃料電池セルを示す断面図である。ここでは、燃料としてメタノール水溶液を使用するダイレクトメタノール型燃料電池の燃料電池セルを示している。
【００３２】
この図５に示すように、燃料電池セル４０は、固体電解質層４１と、空気極（正極）４２と、カーボンペーパー４３と、空気極側集電極４４と、燃料極（負極）４５と、カーボンペーパー４６と、燃料極側集電極４７とにより構成されている。空気極４２、カーボンペーパー４３及び空気極側集電極４４は、固体電解質層４１の一方の面側に固体電解質層４１側からこの順に積層されている。また、燃料極４５、カーボンペーパー４６及び燃料極側集電極４７は、固体電解質層４１の他方の面側に固体電解質層４１側からこの順に積層されている。
【００３３】
空気極４２及び燃料極４５は、主に白金又は白金とルテニウムなどの遷移金属との合金の超微粒子を炭素系担持体表面に固定してなる電極触媒から構成される。固体電解質層４１は、常温で固体でありながら電解質溶液の如くプロトンを透過して輸送することが可能な材料からなり、例えばパーフルオロスルホン酸ポリマーであるデュポン社製のＮａｆｉｏｎ（登録商標）などを使用することができる。
【００３４】
また、集電極４４，４７はいずれもステンレス（ＳＵＳ）又はＮｉなどの金属のメッシュからなる。燃料電池セル４０は、これらの材料を層状に積層してなり、薄いシート状の外観を有している。燃料極４５側には燃料の貯留部を備えており、燃料極４５に一定量の燃料が接するようになっている。また、空気極４２側には空気が流通する空間が設けられている。
【００３５】
ダイレクトメタノール型燃料電池では、１つの燃料電池セルの出力電圧は通常０．８Ｖ以下であり、出力電流にも依存するが殆どの燃料電池セルの出力電圧は０．３Ｖ〜０．６Ｖ程度である。一方、一般的な情報端末の駆動電圧は１．５Ｖ〜１２Ｖ程度であり、燃料電池セルの出力電圧よりも高い。このため、通常は、複数の燃料電池セルを直列に接続し、更に昇圧回路３３により昇圧して所定の出力電圧としている。
【００３６】
なお、本実施形態では、燃料電池としてダイレクトメタノール型燃料電池を使用しているが、その他の燃料電池、例えば水素燃料、エーテル系燃料又は水素化ホウ素系燃料等を使用してもよいことは勿論である。
【００３７】
以下、燃料電池セルで発電時に起こる化学反応について説明する。ダイレクトメタノール型燃料電池においては、下記の反応により電力が発生する。
【００３８】
ＣＨ3 ＯＨ＋３／２Ｏ2   →  ＣＯ2 ＋Ｈ2 Ｏ
燃料に水素を用いた場合は、下記の反応により電力が発生する。
【００３９】
Ｈ2 ＋１／２Ｏ2   →  Ｈ2 Ｏ
エーテル系燃料を用いた場合は、下記の反応により電力が発生する。
【００４０】
ＣＨ3 ＯＣＨ3 ＋３Ｏ2   →  ２ＣＯ2 ＋３Ｈ2 Ｏ
水素化ホウ素化合物を用いた場合は、下記の反応により電力が発生する。
【００４１】
ＮａＢＨ4 ＋２Ｏ2   →  ＮａＢＯ2 ＋２Ｈ2 Ｏ
上記のように、発電反応に伴っていずれも水が生成されるが、結露などにより外部の物品や装置類に影響を与えないようにする対策を施すことが必要になることがある。この場合、例えば図６に示すように、メッシュ状の集電極４４の外側に、気体は透過し液体は透過しない多孔質膜（酸素透過性膜）４８を配置することが好ましい。これにより、結露する条件にある水蒸気を多孔質膜４８の空気極４２側の面で凝縮させることができて、燃料電池外部の物品や装置類を濡らしてしまうことが防止できる。空気極４２と多孔質膜４８との間隔は例えば０．１〜２０ｍｍとすればよく、１〜５ｍｍとすることが好ましい。
【００４２】
多孔質膜４８は、例えばポリテトラフルオロエチレン、ポリパーフロロエチレン、ポリトリフルオロエチレン、フッ素化エチレンプロピレン又はポリビニリデンフルオライドなどのフッ素樹脂系の素材により形成する。また、多孔質膜４８を、セルロース、硝酸セルロース、酢酸セルロース、ポリアミド、ポリアミド（ナイロン）又はポリエステルなどにより形成し、その表面をシリル化剤やシランカップリング剤などで表面処理して撥水性を付与してもよい。
【００４３】
更に、多孔質膜の表面に、真空蒸着法やスパッタリング法などで金、銀、アルミニウム、クロム、ニッケル、銅又は錫などの金属をコーティングしてもよい。これにより、多孔質膜の熱伝導率が向上し、結露を抑制することができる。更にまた、ステンレス、アルミニウム、錫又は銅などの金属箔に微小な孔をエッチングやプレス法などで形成したものを多孔質膜４８としてもよいし、フッ素系樹脂等の膜と微小な孔を設けた金属膜とをラミネートした複合素材を多孔質膜４８としてもよい。
【００４４】
本実施形態では、燃料極４５として白金−ルテニウム合金担持触媒（TEC61E54, 田中貴金属製）を使用し、空気極４２として白金担持触媒（TEC10E50E,田中貴金属製）を使用し、固体電解質層４１として部分フッ素化固体電解質（Ｎａｆｉｏｎ１１７：Ｄｕｐｏｎｔ社製）を使用し、多孔質膜４８としてはポリテトラフルオロエチレン（ＰＴＦＥ）の膜（平均孔径１０μｍ．空隙率５０％、厚み１００μｍ）を使用する。燃料極４５と多孔質膜４８との間隔は３ｍｍとする。
【００４５】
このような燃料電池では、図４に示すように着脱が容易に可能な燃料カセット３４ａを使用し、燃料カセット３４ａにメタノール燃料を２００ｃｃを収容することで、消費電力が１０Ｗの情報端末１２を連続で約２０時間連続して動作させることができる。
【００４６】
また、図７に示すように、燃料電池１３の内部に例えば３００ｃｃの燃料タンク５１を内蔵させ、窒素ガスにより燃料を加圧するガス圧縮式燃料充填装置５２を用いてメタノール燃料を燃料タンク５１に充填するようにしてもよい。燃料タンク５１に３００ｃｃの燃料を充填することで、消費電力が１０Ｗの情報端末１２を約３０時間連続して動作させることができる。
【００４７】
本実施形態のショッピングカートは、燃料カセット３４ａの交換又は燃料充填装置５２による燃料の補給に要する時間が最大でも３０秒間以下であり、リチウムイオン電池等の二次電池を使用する場合に比べてショッピングカートを効率的に運用することができる。
【００４８】
Ｂ．ショッピングカートシステム
以下、上述したショッピングカートを使用して買い物客に種々の情報を提供するショッピングカートシステムについて説明する。
【００４９】
図８は、本実施形態のショッピングカートシステムを示す模式図である。この図８と図３に示す情報端末１２のブロック図とを参照して、本実施形態のショッピングカートシステムを説明する。
【００５０】
ショッピングストア内の各所には、微弱な電波を発信する発信器６１と、無線ＬＡＮのアクセスポイント６２とが設置されている。前述したように、ショッピングカート１０に搭載された情報端末１２は、位置検出部２４により発信器６１から発信された電波を受信し、識別コードを抽出して発信器を特定することによって現在位置を検出する。この現在位置の情報は、マイクロコンピュータ２１により一定の時間毎に通信部２３を介してサーバ６０に送信される。
【００５１】
一方、サーバ６０は、無線ＬＡＮを介してショッピングカート１０の情報端末１２に、例えばお買い得情報、タイムセール及びキャンペーン等の情報を適宜送信する。情報端末１２は、サーバ６０から送られてきた情報をＲＡＭ２６に一時的に保存し、液晶パネル２２に表示する。
【００５２】
また、サーバ６０は、ショッピングカート１０の現在位置に応じて、例えばショッピングカート１０の近傍の売り場におけるお買い物情報を情報端末１２に送信する。情報端末１２は、これらの情報を受信すると液晶パネル２２に表示する。
【００５３】
情報端末１２は、買い物のナビゲーションにも使用される。例えば、買い物客が液晶パネル２２に表示された「ナビゲーションボタン」を押した後、所望の商品名又は商品の種類を入力すると、マイクロコンピュータ２１は入力された商品名又は商品の種類を示すデータをサーバ６０に送信する。サーバ６０は、これらのデータを受信すると、ショッピングカート１０の現在位置から当該商品の売り場までの案内図を情報端末１２に送信し、その後ショッピングカート１０の移動に伴って適宜案内情報を送信し、ショッピングカート１０を当該商品の売り場まで案内する。
【００５４】
また、買い物客が商品コード読み取り部２５により商品に取り付けられたＩＣタグから商品コード及びその他の情報を読み取ると、マイクロコンピュータ２１は必要に応じてサーバ６０と通信し、該当する商品の情報、例えば価格、メーカー名（又は産地）及び商品の特徴などを液晶パネル２２に表示する。更に、買い物客が液晶パネル２２に表示された所定のボタンを押すと、マイクロコンピュータ２１はショッピングカート１０に投入された商品の合計金額を液晶パネル２２に表示する。
【００５５】
更にまた、マイクロコンピュータ２１は燃料電池１３に設けられたセンサ（図示せず）により燃料残量を監視しており、燃料残量が少なくなると、その旨を示す情報をサーバ６０に送信する。サーバ６０は燃料残量が少ないショッピングカート１０をショッピングストアの従業員に知らせる。従業員は、この情報に基づいてショッピングカート１０に燃料の補充を行う。
【００５６】
本実施形態のショッピングカートシステムは、情報端末１２の電源として燃料電池を使用するので、動作時間が長く、買い物客に種々の情報を提供できるとともに、ショッピングストアのショッピングカートにかかる運用コストを削減することができる。
【００５７】
以下、本発明の諸態様を、付記としてまとめて記載する。
【００５８】
（付記１）ショッピングカート本体と、
情報を表示する表示部を備え前記ショッピングカート本体に搭載された情報端末と、
燃料物質の化学エネルギーを直接電気エネルギーに変換して前記情報端末に電力を供給する燃料電池と
を有することを特徴とするショッピングカート。
【００５９】
（付記２）前記燃料電池が、複数の燃料電池セルにより構成される燃料電池セル集合体と、前記燃料電池セル集合体を収納する筐体と、前記燃料電池セル集合体と前記筐体との間に介在し、前記燃料電池セル集合体と前記筐体との間に空気が入る空間を形成する部材とを有することを特徴とする付記１に記載のショッピングカート。
【００６０】
（付記３）前記燃料電池セル集合体と前記筐体との間に空気が入る空間を形成する部材が、衝撃吸収性を有することを特徴とする付記２に記載のショッピングカート。
【００６１】
（付記４）前記燃料電池が、固体電解質層と、前記固体電解質層の一方の面側に配置された燃料極及び第１の集電極と、前記固体電解質層の他方の面側に配置された空気極及び第２の集電極と、前記第２の集電極の前記固体電解質層と反対側の面に配置され、気体を通し液体を通さない多孔質膜とを有することを特徴とする付記１に記載のショッピングカート。
【００６２】
（付記５）前記燃料電池の燃料が、アルコール系燃料、水素燃料、水素化ホウ素系燃料及びエーテル系燃料のいずれか１種であることを特徴とする付記１に記載の液晶表示装置。
【００６３】
（付記６）前記燃料が、前記燃料電池に着脱自在の燃料カセットに収納されていることを特徴とする付記１に記載のショッピングカート。
【００６４】
（付記７）前記燃料電池内に、充填装置により燃料の充填が可能な燃料タンクを備えることを特徴とする付記１に記載のショッピングカート。
【００６５】
（付記８）ショッピングカートに搭載された情報端末とショッピングストアのサーバとの間で通信して前記ショッピングカートを利用する買い物客に情報を提供するショッピングカートシステムにおいて、
前記ショッピングカートは、燃料物質の化学エネルギーを直接電気エネルギーに変換して前記情報端末に電力を供給する燃料電池と、前記サーバとの間で無線により通信を行う通信部とを有することを特徴とするショッピングカートシステム。
【００６６】
（付記９）前記燃料電池が、複数の燃料電池セルにより構成される燃料電池セル集合体と、前記燃料電池セル集合体を収納する筐体と、前記燃料電池セル集合体と前記筐体との間に介在し、前記燃料電池セル集合体と前記筐体との間に空気が入る空間を形成する部材とを有することを特徴とする付記８に記載のショッピングカートシステム。
【００６７】
（付記１０）前記ショッピングカートは現在位置を検出する位置検出部を有し、前記サーバは前記ショッピングカートの現在位置に応じた情報を前記通信部を介して前記情報端末に送信することを特徴とする付記８に記載のショッピングカートシステム。
【００６８】
（付記１１）前記ショッピングカートは、商品に付けられた商品コードを読み取る商品コード読み取り部を有することを特徴とする付記８に記載のショッピングカートシステム。
【図面の簡単な説明】
【００６９】
【図１】図１は、本発明の実施形態に係るショッピングカートを示す模式図である。
【図２】図２は、ショッピングカートを重ねて収納するときの状態を示す模式図である。
【図３】図３は、情報端末の構成を示すブロック図である。
【図４】図４は、燃料電池を示す模式図である。
【図５】図５は、燃料電池セル集合体を構成する燃料電池セルを示す断面図である。
【図６】図６は、多孔質膜（酸素透過性膜）を備えた燃料電池セルを示す断面図である。
【図７】図７は、ガス圧縮式燃料充填装置を用いて内蔵燃料タンクに燃料を充填可能とした燃料電池を備えたショッピングカートを示す模式図である。
【図８】図８は、実施形態のショッピングカートシステムを示す模式図である。
【符号の説明】
【００７０】
１０…ショッピングカート、
１１…カート本体、
１２…情報端末、
１３…燃料電池、
１４…ケーブル、
２１…マイクロコンピュータ、
２２…タッチパネル付き液晶パネル、
２３…通信部、
２４…位置検出部、
２５…商品コード読み取り部、
２６…ＲＡＭ、
２７…ＲＯＭ、
３０…筐体、
３１…燃料電池セル集合体、
３２…緩衝材、
３３…昇圧回路、
３４…燃料カセット収納部、
３４ａ…燃料カセット、
３５…燃料供給部、
４０…燃料電池セル、
４１…固体電解質層、
４２…空気極（正極）、
４３，４６…カーボンペーパー、
４４…空気極側集電極、
４５…燃料極（負極）、
４７…燃料極側集電極、
４８…多孔質膜、
５１…燃料タンク、
５２…燃料重点装置、
６０…サーバ、
６１…発信器、
６２…アクセスポイント。
【図１】
2006232054.tif 000003
【図２】
2006232054.tif 000004
【図３】
2006232054.tif 000005
【図４】
2006232054.tif 000006
【図５】
2006232054.tif 000007
【図６】
2006232054.tif 000008
【図７】
2006232054.tif 000009
【図８】
2006232054.tif 000010